【手続補正書】
【提出日】平成26年7月11日(2014.7.11)
【手続補正１】
【補正対象書類名】特許請求の範囲
【補正対象項目名】全文
【補正方法】変更
【補正の内容】
【特許請求の範囲】
【請求項１】
撮像手段と、
ユーザーからの操作を受け付ける受付手段と、
前記撮像手段での撮像時に、前記受付手段で第１の操作を受け付けたことに応じて前記撮像手段での撮像に用いるズームレンズを望遠側に光学ズームするように駆動し、前記受付手段で第２の操作を受け付けたことに応じて前記ズームレンズを広角側に駆動するように制御する光学ズーム手段と、
３Ｄ表示用の映像を表示手段に出力可能な出力手段と、
前記出力手段から３Ｄ表示用の映像を出力している際に、前記受付手段で前記第１の操作または前記第２の操作を受け付けたことに応じて、前記出力手段から出力される３Ｄ表示用の映像の視差量を調整する視差量調整手段と
を有することを特徴とする撮像装置。
【請求項２】
前記視差量調整手段は、前記第１の操作を受け付けたことに応じて前記３Ｄ表示用の映像の飛び出し量が大きくなるように視差量を調整し、前記第２の操作を受け付けたことに応じて前記３Ｄ表示用の映像の飛び出し量が小さくなるように視差量を調整することを特徴とする請求項１に記載の撮像装置。
【請求項３】
前記３Ｄ表示用の映像は左目用画像と右目用画像とを含み、
前記視差量調整手段は、前記第１の操作を受け付けたことに応じて前記左目用画像を右に、前記右目用画像を左にシフトさせ、前記第２の操作を受け付けたことに応じて前記左目用画像を左に、前記右目用画像を右にシフトさせることを特徴とする請求項１または２に記載の撮像装置。
【請求項４】
前記受付手段で前記第１の操作または前記第２の操作を受け付けたことに応じて、前記出力手段から出力される映像の電子ズーム処理を行う電子ズーム処理手段を更に有することを特徴とする請求項１乃至３の何れか１項に記載の撮像装置。
【請求項５】
前記電子ズーム処理手段は、前記第１の操作を受け付けたことに応じて電子ズームでの拡大処理を行い、前記第２の操作を受け付けたことに応じて電子ズームでの縮小処理を行うことを特徴とする請求項４に記載の撮像装置。
【請求項６】
前記出力手段は、２Ｄ表示用の映像も出力可能であり、
前記電子ズーム処理手段は、前記出力手段から前記２Ｄ表示用の映像を出力している際に前記第１の操作または前記第２の操作を受け付けたことに応じて、前記出力手段から出力される２Ｄ表示用の映像の電子ズーム処理を行うことを特徴とする請求項４または５に記載の撮像装置。
【請求項７】
前記出力手段から出力される３Ｄ表示用の映像の一部領域を選択する選択手段と、
前記選択手段で３Ｄ表示用の映像の一部領域が選択されている場合に前記第１の操作または前記第２の操作を受け付けたことに応じて、前記電子ズーム処理手段が前記選択手段で選択されている前記一部領域の電子ズーム処理を行うように制御し、
前記選択手段で３Ｄ表示用の映像の一部領域が選択されていない場合に前記第１の操作または前記第２の操作を受け付けたことに応じて、前記視差量調整手段が前記出力手段から出力される３Ｄ表示用の映像の視差量を調整するように制御する制御手段と
を更に有することを特徴とする請求項４乃至６の何れか１項に記載の撮像装置。
【請求項８】
前記受付手段は、前記第１の操作及び前記第２の操作が可能な単一のズーム操作手段に対する操作を受け付けることを特徴とする請求項１乃至７の何れか１項に記載の撮像装置。
【請求項９】
前記ズーム操作手段は、複数の位置に操作することが可能であり、
前記視差量調整手段は、前記ズーム操作手段が前記複数の位置のいずれに操作されているかに応じて異なる変化速度で段階的に視差量を変化させることを特徴とする請求項８に記載の撮像装置。
【請求項１０】
前記表示手段を有する外部機器と接続する接続手段を更に有し、
前記出力手段は、３Ｄ表示用の映像を前記接続手段を介して前記表示手段に出力することを特徴とする請求項１乃至９の何れか１項に記載の撮像装置。
【請求項１１】
前記表示手段を更に有することを特徴とする請求項１乃至１０の何れか１項に記載の撮像装置。
【請求項１２】
ユーザーからの操作を受け付ける受付手段と、
３Ｄ表示用の映像を表示手段に出力可能な出力手段と、
前記受付手段で第１の操作を受け付けたことに応じて、前記出力手段から出力される映像の電子ズームでの拡大処理を行い、前記受付手段で第２の操作を受け付けたことに応じて前記出力手段から出力される映像の電子ズームでの縮小処理を行う電子ズーム処理手段と、
前記出力手段から３Ｄ表示用の映像を出力している際に、前記受付手段で前記第１の操作を受け付けたことに応じて前記３Ｄ表示用の映像の飛び出し量が大きくなるように視差量を調整し、前記受付手段で前記第２の操作を受け付けたことに応じて前記３Ｄ表示用の映像の飛び出し量が小さくなるように視差量を調整する視差量調整手段と
を有することを特徴とする画像処理装置。
【請求項１３】
前記３Ｄ表示用の映像は左目用画像と右目用画像とを含み、
前記視差量調整手段は、前記第１の操作を受け付けたことに応じて前記左目用画像を右に、前記右目用画像を左にシフトさせ、前記第２の操作を受け付けたことに応じて前記左目用画像を左に、前記右目用画像を右にシフトさせることを特徴とする請求項１２に記載の画像処理装置。
【請求項１４】
前記出力手段は、２Ｄ表示用の映像も出力可能であり、
前記電子ズーム処理手段は、前記出力手段から前記２Ｄ表示用の映像を出力している際に前記第１の操作または前記第２の操作を受け付けたことに応じて、前記出力手段から出力される２Ｄ表示用の映像の電子ズーム処理を行うことを特徴とする請求項１２または１３に記載の画像処理装置。
【請求項１５】
前記出力手段から出力される３Ｄ表示用の映像の一部領域を選択する選択手段と、
前記選択手段で３Ｄ表示用の映像の一部領域が選択されている場合に前記第１の操作または前記第２の操作を受け付けたことに応じて、前記電子ズーム処理手段が前記選択手段で選択されている前記一部領域の電子ズーム処理を行うように制御し、
前記選択手段で３Ｄ表示用の映像の一部領域が選択されていない場合に前記第１の操作または前記第２の操作を受け付けたことに応じて、前記視差量調整手段が前記出力手段から出力される３Ｄ表示用の映像の視差量を調整するように制御する制御手段と
を更に有することを特徴とする請求項１２乃至１４の何れか１項に記載の画像処理装置。
【請求項１６】
前記受付手段は、前記第１の操作及び前記第２の操作が可能な単一のズーム操作手段に対する操作を受け付けることを特徴とする請求項１２乃至１５の何れか１項に記載の画像処理装置。
【請求項１７】
前記ズーム操作手段は、複数の位置に操作することが可能であり、
前記視差量調整手段は、前記ズーム操作手段が前記複数の位置のいずれに操作されているかに応じて異なる変化速度で段階的に視差量を変化させることを特徴とする請求項１６に記載の画像処理装置。
【請求項１８】
前記表示手段を有する外部機器と接続する接続手段を更に有し、
前記出力手段は、３Ｄ表示用の映像を前記接続手段を介して前記表示手段に出力することを特徴とする請求項１２乃至１７の何れか１項に記載の画像処理装置。
【請求項１９】
前記表示手段を更に有することを特徴とする請求項１２乃至１８の何れか１項に記載の画像処理装置。
【請求項２０】
撮像手段と、ユーザーからの操作を受け付ける受付手段と、３Ｄ表示用の映像を表示手段に出力可能な出力手段とを有する撮像装置の制御方法であって、
前記撮像手段での撮像時に、前記受付手段で第１の操作を受け付けたことに応じて前記撮像手段での撮像に用いるズームレンズを望遠側に光学ズームするように駆動し、前記受付手段で第２の操作を受け付けたことに応じて前記ズームレンズを広角側に駆動するように制御する光学ズームステップと、
前記出力手段から３Ｄ表示用の映像を出力している際に、前記受付手段で前記第１の操作または前記第２の操作を受け付けたことに応じて、前記出力手段から出力される３Ｄ表示用の映像の視差量を調整する視差量調整ステップと
を有することを特徴とする撮像装置の制御方法。
【請求項２１】
ユーザーからの操作を受け付ける受付手段と、３Ｄ表示用の映像を表示手段に出力可能な出力手段とを有する画像処理装置の制御方法であって、
前記受付手段で第１の操作を受け付けたことに応じて、前記出力手段から出力される映像の電子ズームでの拡大処理を行い、前記受付手段で第２の操作を受け付けたことに応じて前記出力手段から出力される映像の電子ズームでの縮小処理を行う電子ズーム処理ステップと、
前記出力手段から３Ｄ表示用の映像を出力している際に、前記受付手段で前記第１の操作を受け付けたことに応じて前記３Ｄ表示用の映像の飛び出し量が大きくなるように視差量を調整し、前記受付手段で前記第２の操作を受け付けたことに応じて前記３Ｄ表示用の映像の飛び出し量が小さくなるように視差量を調整する視差量調整ステップと
を有することを特徴とする画像処理装置の制御方法。
【請求項２２】
コンピュータを、請求項１乃至１１何れか１項に記載された撮像装置の各手段として機能させるためのプログラム。
【請求項２３】
コンピュータを、請求項１乃至１１の何れか１項に記載された撮像装置の各手段として機能させるためのプログラムを格納したコンピュータが読み取り可能な記憶媒体。
【請求項２４】
コンピュータを、請求項１２乃至１９何れか１項に記載された画像処理装置の各手段として機能させるためのプログラム。
【請求項２５】
コンピュータを、請求項１２乃至１９の何れか１項に記載された画像処理装置の各手段として機能させるためのプログラムを格納したコンピュータが読み取り可能な記憶媒体。
【手続補正２】
【補正対象書類名】明細書
【補正対象項目名】発明の名称
【補正方法】変更
【補正の内容】
【発明の名称】撮像装置、画像処理装置、撮像装置の制御方法及び画像処理装置の制御方法
【手続補正３】
【補正対象書類名】明細書
【補正対象項目名】０００１
【補正方法】変更
【補正の内容】
【０００１】
本発明は撮像装置、画像処理装置、撮像装置の制御方法、画像処理装置の制御方法、プログラム及び記憶媒体に関し、特に、３Ｄ映像を表示するために用いて好適な技術に関する。
【手続補正４】
【補正対象書類名】明細書
【補正対象項目名】０００８
【補正方法】変更
【補正の内容】
【０００８】
本発明の撮像装置は、撮像手段と、ユーザーからの操作を受け付ける受付手段と、前記撮像手段での撮像時に、前記受付手段で第１の操作を受け付けたことに応じて前記撮像手段での撮像に用いるズームレンズを望遠側に光学ズームするように駆動し、前記受付手段で第２の操作を受け付けたことに応じて前記ズームレンズを広角側に駆動するように制御する光学ズーム手段と、３Ｄ表示用の映像を表示手段に出力可能な出力手段と、前記出力手段から３Ｄ表示用の映像を出力している際に、前記受付手段で前記第１の操作または前記第２の操作を受け付けたことに応じて、前記出力手段から出力される３Ｄ表示用の映像の視差量を調整する視差量調整手段とを有することを特徴とする。
【手続補正５】
【補正対象書類名】明細書
【補正対象項目名】０００９
【補正方法】変更
【補正の内容】
【０００９】
本発明によれば、ＧＵＩの立体感をズーム操作部材により直感的かつ簡便に調整することができる。